(57)【要約】【課題】通常充電を行う場合には第１の外部直流電力を供給し、急速充電を行う場合には第１の外部直流電力より大きな第２の外部直流電力を供給することによって、性能を切り替えることできるようにすること。【解決手段】  コントローラ３０４は、ＡＣアダプタ４０およびドッキングステーション２００の一方から給電されている場合に、前記急速充電を禁止し、ＡＣアダプタ４０およびドッキングステーション２００の両方から給電されている場合に急速充電を許可する。【選択図】    図２
2011234573.tif 000002
【特許請求の範囲】
【請求項１】
本体と、
前記本体に第１の外部直流電力が供給されている場合に、前記第１の外部直流電力より高い消費電力で前記本体が動作することを禁止する第１のモードに設定し、前記本体に前記第１の外部直流電力および第２の外部直流電力が供給されている場合に、前記第１の外部直流電力より高い消費電力で前記本体が動作することを許可する第２のモードに設定する設定手段と
を具備することを特徴とする記載の情報処理装置。
【請求項２】
前記第２のモードにおける前記情報処理装置の最大消費電力は、前記第１の外部直流電力と第２の外部直流電力との和より低いことを特徴とする請求項１に記載の情報処理装置。
【請求項３】
前記本体内に設けられるバッテリに通常充電または急速充電を行う充電部を更に具備し、
前記第１のモードにおいて前記急速充電は禁止され、前記第２のモードにおいて前記急速充電は許可されることを特徴とする請求項１に記載の情報処理装置。
【請求項４】
第１の動作クロックまたは前記第１の動作クロックより高い第２の動作クロックで動作するセントラルプロセッサを更に具備し、
前記第１のモードでは前記第２の動作クロックによる動作が禁止され、前記第２のモードでは前記第２の動作クロックによる動作が許可されることを特徴とする請求項１に記載の情報処理装置。
【請求項５】
第１の動作クロックまたは前記第１の動作クロックより高い第２の動作クロックで動作するグラフィックスプロセッサを更に具備し、
前記第１のモードでは前記第２の動作クロックによる動作が禁止され、前記第２のモードでは前記第２の動作クロックによる動作が許可されることを特徴とする請求項１に記載の情報処理装置。
【請求項６】
情報処理装置に第１の外部直流電力が供給されている場合に、前記第１の外部直流電力より高い消費電力で前記情報処理装置が動作することを禁止する第１のモードに設定し、
前記情報処理装置に前記第１の外部直流電力および第２の外部直流電力が供給されている場合に、前記第１の外部直流電力より高い消費電力で前記情報処理装置が動作することを許可する第２のモードに設定する
ことを特徴とする情報処理装置の制御方法。
【請求項７】
前記情報処理装置は、バッテリに通常充電または急速充電を行う充電部を具備し、
前記第１のモードにおいて前記急速充電は禁止され、前記第２のモードにおいて前記急速充電は許可されることを特徴とする請求項６に記載の情報処理装置の制御方法。
【請求項８】
前記情報処理装置は、第１の動作クロックまたは前記第１の動作クロックより高い第２の動作クロックで動作するセントラルプロセッサを具備し、
前記第１のモードでは前記第２の動作クロックによる動作が禁止され、前記第２のモードでは前記第２の動作クロックによる動作が許可されることを特徴とする請求項６に記載の情報処理装置の制御方法。
【請求項９】
第１の動作クロックまたは前記第１の動作クロックより高い第２の動作クロックで動作するグラフィックスプロセッサを更に具備し、
前記第１のモードでは前記第２の動作クロックによる動作が禁止され、前記第２のモードでは前記第２の動作クロックによる動作が許可されることを特徴とする請求項６に記載の情報処理装置の制御方法。
【発明の詳細な説明】
【技術分野】
【０００１】
本発明の実施形態は、複数の電源から給電される情報処理装置および情報処理装置の制御方法に関する。
【背景技術】
【０００２】
近年、急速充電機能を備えた電子機器がある。急速充電では、通常の充電電流値より高い電流値の電力をバッテリに供給することによって、充電時間を短くしている。急速充電時の充電電流値は通常の充電電流値の例えば３倍である。
【０００３】
通常充電時の３倍の充電電流値を必要とする急速充電時の電力を供給するためには、定格が大きいＡＣアダプタを用意しなければならない。定格の大きいＡＣアダプタは、定格が小さいＡＣアダプタと比べると、大きくなる。外出先でＡＣアダプタを用いる場合があるので、できるだけ小さいＡＣアダプタを持ち歩きたいという要望もある。
【０００４】
また、ＣＰＵ等のプロセッサでは、動作クロックを上昇させる機能を有するものもあるが、動作クロックを上昇させと、プロセッサの消費電力も大きくなり、定格の大きいＡＣアダプタを必要とする。
【先行技術文献】
【特許文献】
【０００５】
【特許文献１】特開２００４−５６８８８号公報
【発明の概要】
【発明が解決しようとする課題】
【０００６】
上述したように、定格が大きいＡＣ電源アダプタであると体積が大きくなり、持ち歩きにくい。
【０００７】
そのため、大きな駆動電力が不要な場合には装置の通常の駆動に必要な外部直流電力を供給し、例えば大きな駆動電力が必要な場合には通常の駆動に必要な外部直流電力より大きな外部直流電力を供給することによって、性能を切り替えることできるようにすることが望まれている。
【課題を解決するための手段】
【０００８】
実施形態に係わる情報処理装置は、本体と、前記本体に第１の外部直流電力が供給されている場合に、前記第１の外部直流電力より高い消費電力で前記本体が動作することを禁止する第１のモードに設定し、前記本体に前記第１の外部直流電力および第２の外部直流電力が供給されている場合に、前記第１の外部直流電力より高い消費電力で前記本体が動作することを許可する第２のモードに設定する設定手段とを具備することを特徴とする。
【図面の簡単な説明】
【０００９】
【図１】実施形態に係わる情報処理装置としてのノートブック型パーソナルコンピュータ、ＡＣアダプタ、およびドッキングステーションを示す斜視図。
【図２】図１に示すコンピュータの裏面側を示す斜視図。
【図３】コンピュータ、ＡＣアダプタ、およびドッキングステーションのシステム構成図。
【図４】急速充電モードおよびブースト機能の実行の許可／不許可を設定するためのシステム構成を示すブロック図。
【図５】ドッキングステーションもしくはＡＣアダプタからの給電が行われた場合のコントローラによる処理の手順を示すフローチャート。
【図６】充電を行っている場合のバッテリに供給される電流を制御する処理の手順を示すフローチャート。
【図７】ＣＰＵおよびＧＰＵのブースト機能を制御する処理の手順を示すフローチャート。
【発明を実施するための形態】
【００１０】
実施の形態を以下に図面を参照して説明する。
【００１１】
まず、図１、図２、および図３を参照して、本発明の一実施形態に係る情報処理装置の構成について説明する。この情報処理装置は、バッテリ駆動可能な携帯型のノートブック型パーソナルコンピュータ１０として実現されている。
【００１２】
図１はノートブック型パーソナルコンピュータのディスプレイユニットを開いた状態、および拡張ユニットとしてのドッキングステーションの斜視図である。また、図２はコンピュータの裏面側からの斜視図である。
【００１３】
本コンピュータ１０は、コンピュータ本体１１と、ディスプレイユニット１２とから構成されている。ディスプレイユニット１２には、ＬＣＤ（Liquid Crystal Display）１７から構成される表示装置が組み込まれており、そのＬＣＤ１７の表示画面はディスプレイユニット１２のほぼ中央に位置されている。
【００１４】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０を電源オン／オフするためのパワーボタン１４、およびタッチパッド１６などが配置されている。
【００１５】
コンピュータ１０を外部機器としてのドッキングステーション２００に設置すると、ドッキングステーション２００に設けられたドッキングコネクタ２０１と、図２に示すコンピュータ１０の裏面側に設けられたドッキングポート２０とが接続し、駆動電力の供給、および信号の伝達が行えるようになる。また、コンピュータ本体１１の背面にはＡＣアダプタ４０のプラグが接続される電力受給ポート２１が設けられている。
【００１６】
次に、図３を参照して、本コンピュータ１０、ＡＣアダプタ４０、およびドッキングステーション２００、のシステム構成について説明する。
【００１７】
本コンピュータは、図３に示されているように、ＣＰＵ１１１、ノースブリッジ１１２、主メモリ１１３、ＧＰＵ（Graphics Processing Unit）１１４、サウスブリッジ１１９、ＢＩＯＳ−ＲＯＭ１２１、ハードディスクドライブ（ＨＤＤ）１２２、およびエンベデッドコントローラ／キーボードコントローラＩＣ（ＥＣ／ＫＢＣ）１２４等を備えている。
【００１８】
ＣＰＵ１１１は、本コンピュータ１０の動作を制御するために設けられたプロセッサであり、ハードディスクドライブ１２２から主メモリ１１３にロードされる、オペレーティングシステム（ＯＳ）、および各種アプリケーションプログラムを実行する。
【００１９】
また、ＣＰＵ１１１は、ＢＩＯＳ−ＲＯＭ１２１に格納されたＢＩＯＳ（Basic Input Output System）プログラムも実行する。ＢＩＯＳ−ＲＯＭ１２１はハードウェア制御のためのプログラムである。
【００２０】
ノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２には、ＰＣＩ（Peripheral Component Interconnect）Ｅｘｐｒｅｓｓバスなどを介してＧＰＵ１０５との通信を実行する機能も有している。また、ＣＰＵ１１１は、消費電力と温度を監視し、余裕がある場合に自動的にＴＤＰ（Thermal Design Power）内に収まる範囲でＣＰＵの駆動クロックを引き上げるブースト機能を有する。
【００２１】
ＧＰＵ１０５は、本コンピュータ１０のディスプレイモニタとして使用されるＬＣＤ１７を制御する表示コントローラである。このＧＰＵ１０５はビデオメモリ（ＶＲＡＭ）を有しており、ＯＳ／アプリケーションプログラムによってビデオメモリに書き込まれた表示データから、ディスプレイユニット１２のＬＣＤ１７に表示すべき表示イメージを形成する映像信号を生成する。また、ＧＰＵ１０５は、消費電力と温度を監視し、余裕がある場合に自動的にＴＤＰ内に収まる範囲でＣＰＵの駆動クロックを引き上げるブースト機能を有する。
【００２２】
サウスブリッジ１１９は、ＬＰＣ（Low Pin Count）バス上の各デバイスを制御する。また、サウスブリッジ１１９は、ハードディスクドライブ（ＨＤＤ）１２２、光ディスクドライブ（ＯＤＤ）１２３を制御するためのＳＡＴＡ（Serial AT Attachment）コントローラ、ＰＣＩ（Peripheral Component Interconnect）Ｅｘｐｒｅｓｓコントローラ、ＵＳＢコントローラを内蔵している。
【００２３】
光ディスクドライブ１２３は、ＤＶＤ、ＣＤなどの記憶メディアを駆動するためのドライブユニットである。また、光ディスクドライブ１２３は、ＣＤ−Ｒ，ＤＶＤ−Ｒ等の追記可能な光メディアへのデータの書込、ＣＤ−ＲＷ，ＤＶＤ−ＲＷ，ＤＶＤ−ＲＡＭ等の書換可能な光メディアへのデータの書込／消去を行うドライブユニットである。
【００２４】
サウスブリッジ１１９にＰＣＩＥｘｐｒｅｓｓバスを介して、ネットワークに接続された機器とデータの転送を行うためのＬＡＮコントローラ１２６が接続されている。
【００２５】
エンベデッドコントローラ／キーボードコントローラＩＣ（ＥＣ／ＫＢＣ）１２４は、電力管理のためのエンベデッドコントローラと、キーボード（ＫＢ）１３、およびタッチパッド１６を制御するためのキーボードコントローラとが集積された１チップマイクロコンピュータである。このエンベデッドコントローラ／キーボードコントローラＩＣ（ＥＣ／ＫＢＣ）１２４は、電源コントローラ１２５と協調して動作することにより、ユーザによるパワーボタン１４の操作に応じて、本コンピュータ１０をパワーオン／パワーオフする機能を有している。
【００２６】
電源コントローラ１２５は、ＡＣアダプタ４０から外部直流電力が供給されている場合、ＡＣアダプタ４０から供給される外部直流電力を用いて本コンピュータ１０の各コンポーネントに供給すべきシステム電力を生成する。また、ドッキングステーション２００内のＡＣ−ＤＣ電源２０２から外部直流電力が供給されている場合、ドッキングステーション２００から供給される外部直流電力を用いて本コンピュータ１０の各コンポーネントに供給すべきシステム電力を生成する。
【００２７】
ＡＣアダプタ４０およびＡＣ−ＤＣ電源２０２から外部直流電力が供給されている場合、ＡＣアダプタ４０およびＡＣ−ＤＣ電源２０２から供給される外部直流電力を用いて本コンピュータ１０の各コンポーネントに供給すべきシステム電力を生成する。また、ＡＣアダプタ４０を介して外部直流電力が供給されていない場合、バッテリ１２６を用いて本コンピュータ１０の各コンポーネントに供給すべきシステム電力を生成する。
【００２８】
なお、ＡＣアダプタ４０およびドッキングステーション２００に設けられたＡＣ−ＤＣ電源２０２の定格出力は７５Ｗである。
【００２９】
ところで、バッテリを充電する場合、通常充電モードと急速充電モードとの二つのモードがある。急速充電モードの場合、バッテリに供給する電流の値を通常充電モード時の例えば３倍にすることによってバッテリの充電時間を通常充電モード時より短くすることができる。通常充電モードで充電を行っているコンピュータの最大消費電力は７０Ｗである。急速充電モードで充電を行っているコンピュータの最大消費電力は１５０Ｗである。
【００３０】
前述したように、ＡＣアダプタ４０およびドッキングステーションに設けられたＡＣ-ＤＣ変換の定格出力は７５Ｗであるので、急速充電モードはＡＣアダプタ４０およびドッキングステーションから給電されていないと、使用することができない。
【００３１】
また、前述したブースト機能を使用しない場合のコンピュータ１０の最大消費電力は約７０Ｗである。そして、ＣＰＵ１１１がブースト機能を使用している場合のコンピュータ１０の最大消費電力は約８５Ｗである。また、ＧＰＵ１０５がブースト機能を使用している場合のコンピュータ１０の最大消費電力は約８５Ｗである。また、ＣＰＵ１１１およびＧＰＵ１０５がブースト機能を使用している場合のコンピュータ１０の最大消費電力は約１００Ｗである。
【００３２】
従って、急速充電モードと同様にブースト機能は、ＡＣアダプタ４０およびドッキングステーションの両方から給電されていないと、使用することができない。
【００３３】
そのため本コンピュータ１０は、外部から給電が行われている場合に給電を行っている機器を検出し、検出された機器に応じて急速充電モードおよびブースト機能の実行の許可／不許可を設定する機能を有する。また、本コンピュータ１０は、急速充電モードおよびブースト機能が同時に実行できないように設定される。
【００３４】
次に、急速充電モードおよびブースト機能の実行の許可／不許可を設定するためのシステム構成を図４を参照して説明する。
【００３５】
電流検出回路３０１は、コンピュータ１０全体の消費電力を検出する。また、電流検出回路３０１は、バッテリ１２６に充電を行っている場合に、バッテリ１２６に供給されている電流値（充電電流値）を検出する。電源回路３０２は、ＡＣアダプタ４０および／またはドッキングステーション２００から供給される電力を用いて本コンピュータ１０の各コンポーネントに供給すべきシステム電力を生成する。充電回路３０３は、バッテリの容量が低い場合に、通常充電モード時または急速充電モードでバッテリの充電を行う回路である。
【００３６】
コントローラ３０４は、給電を行っているＡＣアダプタ４０および／またはドッキングステーション２００を検出する。また、コントローラ３０４は電流検出回路３０１によって検出される電流値を監視する。充電回路３０３によってバッテリの充電が行われている場合に、コントローラ３０４は、電流値に応じて充電回路３０３の制御を行う。また、コントローラ３０４は、給電を行っている機器に応じて決定される供給仕様（コンピュータ１０が最大消費電力を消費している場合の電流値（最大供給電流値））をＢＩＯＳプログラム３１１に通知する。コントローラ３０４は、給電を行っている機器の給電情報を通知する機能を有する。
【００３７】
また、ＢＩＯＳプログラム３１１は、給電情報に応じてＣＰＵ１１１およびＧＰＵ１０５のブースト機能を許可するかを否かの設定を行う。
【００３８】
次に、図５のフローチャートを参照して、ドッキングステーション２００もしくはＡＣアダプタ４０からの給電が行われた場合のコントローラ３０４による処理の手順を説明する。なお、以下の説明では、ＡＣアダプタ４０の定格とＡＣ−ＤＣ電源２０２の定格が異なる場合も想定して説明している。  
先ず、コントローラ３０４は、ドッキングステーション２００からの給電があるかを判断する（ステップ４０１）。ドッキングステーション２００からの給電があると判断された場合（ステップ４０１のＹｅｓ）、コントローラ３０４はＡＣアダプタ４０からの給電があるかを判断する（ステップ４０２）。ＡＣアダプタ４０からの給電がないと判断した場合（ステップ４０２のＮｏ）、コントローラ３０４は、ドッキングステーション２００のみが給電を行っている場合のコンピュータ１０への供給仕様（コンピュータ１０が最大消費電力を消費している場合の電流値（最大供給電流値））を設定する（ステップ４０３）。そして、コントローラ３０４は、ドッキングステーション２００のみが給電を行っている場合のバッテリに供給される最大充電電流値を設定する（ステップ４０４）。そして、コントローラ３０４は、設定された最大供給電流値および最大充電電流値に基づいて充電を開始する（ステップ４１０）。なお、この状態は、急速充電が禁止され、急速充電が行われていない状態である。
【００３９】
ステップ４０２において、ＡＣアダプタ４０から給電が行われていると判断した場合（ステップ４０２のＹｅｓ）、コントローラ３０４は、ドッキングステーション２００およびＡＣアダプタ４０の両方が給電を行っている場合のコンピュータ１０への電流の供給仕様（最大供給電流値）を設定する（ステップ４０５）。そして、コントローラ３０４は、ドッキングステーション２００およびＡＣアダプタ４０の両方が給電を行っている場合のバッテリに供給される最大充電電流値を設定する（ステップ４０６）。そして、コントローラ３０４は、設定された最大供給電流値および最大充電電流値に基づいて充電を開始する（ステップ４１０）。なお、この状態は、急速充電が行われている状態である。
【００４０】
ステップ４０１において、ドッキングステーション２００からの給電がないと判断した場合（ステップ４０１のＮｏ）、コントローラ３０４は、ＡＣアダプタ４０からの給電があるかを判断する（ステップ４０７）。ＡＣアダプタ４０から給電が行われていると判断した場合（ステップ４０７のＹｅｓ）、コントローラ３０４は、ＡＣアダプタ４０のみが給電を行っている場合のコンピュータ１０への供給仕様（最大供給電流値）を設定する（ステップ４０８）。そして、コントローラ３０４は、ＢＩＯＳ−ＲＯＭ１２１からＡＣアダプタ４０のみが給電を行っている場合のバッテリに供給される最大充電電流値を設定する（ステップ４０９）。そして、コントローラ３０４は、設定された電流の供給仕様および最大充電電流値に基づいて充電を開始する（ステップ４１０）。なお、この状態は、急速充電が禁止され、急速充電が行われていない状態である。
【００４１】
以上の処理で、給電を行っている機器の種類に応じてバッテリ１２６への充電を開始することができる。
【００４２】
次に、図６のフローチャートを参照して、充電を行っている場合のバッテリ１２６に供給される電流を制御する処理の手順を説明する。なお、以下に示す制御はシステムが起動している場合の制御である。システムが起動している場合とシステムが起動していない場合とでは充電制御が異なる。
【００４３】
なお、バッテリ１２６の充電電流値の設定値は予め複数用意されている。コントローラ３０４は、充電電流値の制御を行う場合、充電回路３０３に、１段階上げる、または１段階下げるという指示を送る。また、充電電流値は、充電電流値を段階的に上げていった場合、最大充電電流値と等しくなるように設定されている。
【００４４】
コントローラ３０４は、システムが起動している、則ち電源がＯＮであるかを判断する（ステップ５０１）。システムが起動している、則ち電源がＯＮであると判断した場合（ステップ５０１のＹｅｓ）、コントローラ３０４は電流検出回路３０１からドッキングステーション２００および／またはＡＣアダプタ電流値から供給されている電力の電流値を取得する（ステップ５０２）。コントローラ３０４は、給仕様（最大供給電流値）が取得した電流値より大きいかを判断する（ステップ５０３）。最大供給電流値が取得した電流値より大きくないと判断した場合（ステップ５０３のＮｏ）、コントローラ３０４は、バッテリ１２６への充電電流値を１段階下げる旨の指示を充電回路３０３に送って、充電電流値を下げさせる（ステップ５０６）。
【００４５】
ステップ５０３において、最大供給電流値が取得した電流値より大きいと判断した場合（ステップ５０３のＹｅｓ）、コントローラ３０４は、供給仕様（最大供給電流値）が充電電流値と等しいかを判断する（ステップ５０４）。供給仕様（最大供給電流値）が充電電流値と等しいと判断した場合（ステップ５０４のＹｅｓ）、ステップ５０１からの処理を順次行う。供給仕様（最大供給電流値）が充電電流値と等しくないと判断した場合（ステップ５０４のＮｏ）、コントローラ３０４は、バッテリ１２６への充電電流値を１段階上げる旨の指示を充電回路３０３に送って、充電電流値を上げさせる（ステップ５０５）。  
以上で充電時の電流値制御についての説明を終了する。
【００４６】
次に、ＣＰＵ１１１およびＧＰＵ１０５のブースト機能を制御する処理の手順を図７のフローチャートを参照して説明する。なお、ＣＰＵ１１１およびＧＰＵ１０５のブースト機能は、バッテリ１２６を充電している状態では使用することができない。また、ＣＰＵ１１１およびＧＰＵ１０５のブースト機能は、ＡＣアダプタ４０およびドッキングステーション２００の両方から給電されていないと使用することができない。また、先に述べたように、コントローラ３０４は、給電仕様をＢＩＯＳプログラム３１１に通知する機能、およびバッテリ１２６の充電を行っているかを通知する機能を有する。以下の処理は、ＡＣアダプタ４０およびドッキングステーション２００の両方から給電され、ＣＰＵ１１１およびＧＰＵ１０５のブースト機能が許可されている場合の説明である。
【００４７】
ＢＩＯＳプログラム３１１は、コントローラ３０４から充電中であるかを示す充電情報を取得し、充電中であるかを判断する(ステップ６０１)。充電中ではないと判断した場合（ステップ６０１のＮｏ）、ＢＩＯＳプログラム３１１は、電流検出回路３０１によって検出される消費電流値を取得する（ステップ６０２）。
【００４８】
ＢＩＯＳプログラム３１１は、コントローラ３０４から通知された供給仕様（最大供給電流値）が消費電流値より大きいかを判断する（ステップ６０３）。供給仕様（最大供給電流値）が消費電流値より大きいと判断した場合（ステップ６０３のＹｅｓ）、ＢＩＯＳプログラム３１１は、ＣＰＵ１１１の駆動クロックは最大駆動クロックであるかを判断する（ステップ６０４）。最大駆動クロックではないと判断した場合（ステップ６０４のＮｏ）、ＢＩＯＳプログラム３１１は、ＣＰＵ１１１の駆動クロックを増加させる（ステップ６０５）。ステップ６０４において、最大駆動クロックであると判断した場合（ステップ６０４のＹｅｓ）、ＢＩＯＳプログラム３１１は、ＧＰＵ１０５の駆動クロックが最大駆動クロックであるかを判断する（ステップ６０６）。最大駆動クロックではないと判断した場合（ステップ６０６のＮｏ）、ＢＩＯＳプログラム３１１は、ＧＰＵ１０５の駆動クロックを増加させる（ステップ６０７）。
【００４９】
以上で、ＣＰＵ１１１およびＧＰＵ１０５のブースト機能を制御する処理の説明を終了する。なお、供給仕様（最大供給電流値）が消費電流値より大きく無い場合、ＣＰＵ１１１およびＧＰＵ１０５の駆動クロックを適宜減少させる。
【００５０】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００５１】
１０…ノートブック型パーソナルコンピュータ，４０…ＡＣアダプタ，１０５…ＧＰＵ，１１１…ＣＰＵ，１２５…電源コントローラ，１２６…バッテリ，２００…ドッキングステーション，２０２…ＡＣ−ＤＣ電源，３０１…電流検出回路，３０２…電源回路，３０３…充電回路，３０４…コントローラ，３１１…ＢＩＯＳプログラム。
【図１】
2011234573.tif 000003
【図２】
2011234573.tif 000004
【図３】
2011234573.tif 000005
【図４】
2011234573.tif 000006
【図５】
2011234573.tif 000007
【図６】
2011234573.tif 000008
【図７】
2011234573.tif 000009
【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
情報処理装置であって、
前記情報処理装置に第１の外部直流電力が供給されている場合に、前記情報処理装置を第１のモードに設定し、前記本体に前記第１の外部直流電力および第２の外部直流電力が供給されている場合に、前記情報処理装置を第２のモードに設定する制御手段であって、
前記第１のモードは、前記第１の外部直流電力より高い消費電力で前記本体が動作することを禁止し、前記第２のモードは、前記第１の外部直流電力より高い消費電力で前記本体が動作することを許可する、制御手段を具備することを特徴とする記載の情報処理装置。
【請求項２】
前記第２のモードの場合、前記情報処理装置は、前記第１の外部直流電力と第２の外部直流電力との和より低い電力を消費することを特徴とする請求項１に記載の情報処理装置。
【請求項３】
通常充電モードおよび急速充電モードで、バッテリに充電する充電部を更に具備し、
前記急速充電モードは、前記第１のモードの場合に禁止され、前記第２のモードの場合に許可されることを特徴とする請求項１に記載の情報処理装置。
【請求項４】
第１のクロックおよび第２のクロックによって動作するプロセッサであって、前記第２の動作クロックは前記第１のクロックより高い周波数を有する、プロセッサを更に具備し、
前記第２のクロックによるプロセッサ動作は、前記第１のモードの場合に禁止され、前記第２のモードの場合に許可されることを特徴とする請求項１に記載の情報処理装置。
【請求項５】
第１のクロックおよび第２のクロックによって動作するグラフィックスプロセッサであって、前記第２のクロックは前記第１のクロックより高い周波数を有する、グラフィックスプロセッサを更に具備し、
前記第２のクロックによるプロセッサ動作は、前記第１のモードの場合に禁止され、前記第２のモードの場合に許可されることを特徴とする請求項１に記載の情報処理装置。
【請求項６】
情報処理装置に第１の外部直流電力が供給されている場合に、前記情報処理装置を前記第１の外部直流電力より高い消費電力で前記情報処理装置が動作することを禁止する第１のモードに設定し、
前記情報処理装置に前記第１の外部直流電力および第２の外部直流電力が供給されている場合に、前記情報処理装置を前記第１の外部直流電力より高い消費電力で前記情報処理装置が動作することを許可する第２のモードに設定する
ことを特徴とする情報処理装置の制御方法。
【請求項７】
前記情報処理装置は、通常充電モードおよび急速充電モードを用いてバッテリに充電する充電部を具備し、
前記急速充電モードは、前記第１のモードの場合に禁止され、前記第２のモードの場合に許可されることを特徴とする請求項６に記載の情報処理装置の制御方法。
【請求項８】
前記情報処理装置は、第１のクロックおよび第２のクロックによって動作するプロセッサであって、前記第２のクロックは前記第１の動作クロックより高い周波数を有する、プロセッサを具備し、
前記第２のクロックによるプロセッサ動作は、前記第１のモードの場合に禁止され、前記第２のモードの場合に許可されることを特徴とする請求項６に記載の情報処理装置の制御方法。
【請求項９】
前記情報処理装置は、第１のクロックおよび第２のクロックによって動作するグラフィックスプロセッサであって、前記第２のクロックは前記第１のクロックより高い周波数を有する、グラフィックスプロセッサを更に具備し、
前記第２のクロックによるプロセッサ動作は、前記第１のモードの場合に禁止され、前記第２のモードの場合に許可されることを特徴とする請求項６に記載の情報処理装置の制御方法。
【手続補正２】
【補正対象書類名】明細書
【補正対象項目名】０００８
【補正方法】変更
【補正の内容】
【０００８】
実施形態に係わる情報処理装置は、前記情報処理装置に第１の外部直流電力が供給されている場合に、前記情報処理装置を第１のモードに設定し、前記本体に前記第１の外部直流電力および第２の外部直流電力が供給されている場合に、前記情報処理装置を第２のモードに設定する制御手段であって、前記第１のモードは、前記第１の外部直流電力より高い消費電力で前記本体が動作することを禁止し、前記第２のモードは、前記第１の外部直流電力より高い消費電力で前記本体が動作することを許可する、制御手段を具備することを特徴とする。